(57)【要約】【課題】  周枠から離れた位置でも仕上げレベルを容易かつ確実に知ることができるレベル出し装置と、職人の熟練度に関係なく、誰でも簡単にモルタル床のレベルを均一に仕上げることが可能なレベル出し方法を提供する。【解決手段】  周枠１の対向する二辺の枠杆２ａ，２ａの下部から対向状に内方突成された一定高さの支持杆５，５と、該支持杆５，５に両端を支持されて、二辺の枠杆２ａ，２ａ間に差し渡されるレベル指標杆６と、該レベル指標杆６の上縁の高さ位置を選択的に設定する高さ設定手段とによりモルタル床のレベル出し装置４を構成した。また、対向する二辺の枠杆２ａ，２ａ間に同一設定高さで間隔を置いて差し渡された複数のレベル指標杆６，６上に均し定規１９を交差状に差し渡して、該レベル指標杆６，６上を摺動させることにより、周枠１内に打設されたモルタルを均すようにした。【選択図】  図１
2005273364.tif 000002
【特許請求の範囲】
【請求項１】
内部に玄関マットを敷設する所要深さのモルタル床が形成される周枠に装着されるものであって、
前記周枠の対向する二辺の枠杆の下部から対向状に内方突成された一定高さの支持杆と、該支持杆に両端を支持されて、二辺の枠杆間に差し渡されるレベル指標杆と、該レベル指標杆の上縁の高さ位置を選択的に設定する高さ設定手段とを備えたことを特徴とする玄関マット用の周枠におけるモルタル床のレベル出し装置。
【請求項２】
高さ設定手段が、左右側壁と天壁とにより囲繞される嵌挿空隙を備えたレベル指標杆の、その左右側壁の内壁面の異なる高さ位置に対向状に突設され、前記嵌挿空隙内に嵌挿された支持杆の左右側縁の下面に直接またはスペーサ板を介して係合可能な複数対の位置決め段部と、支持杆に形成された上下方向の螺子孔に下方から螺合されて、上端で前記天壁の内壁面に当接してレベル指標杆を支承し、かつその螺進作用を介してレベル指標杆を上動させて、前記複数対の位置決め段部の何れかを支持杆の左右側縁の下面に直接またはスペーサ板を介して選択的に係合させる固定螺子とからなるものであることを特徴とする請求項１に記載した玄関マット用の周枠におけるモルタル床のレベル出し装置。
【請求項３】
高さ設定手段が、左右側壁と、天壁及び／又は底壁とにより囲繞される嵌挿空隙を備えたレベル指標杆の、その左右側壁の内壁面の異なる高さ位置に対向状に突設された複数対の位置決め段部からなり、該位置決め段部の何れかが、前記嵌挿空隙内に嵌挿された支持杆の左右側縁の上面に直接またはスペーサ板を介して選択的に乗載されるものであることを特徴とする請求項１に記載した玄関マット用の周枠におけるモルタル床のレベル出し装置。
【請求項４】
レベル指標杆の底壁に形成された上下方向の螺子孔に下方から螺合されて、上端が支持杆の下面に当接され、かつその螺進作用を介してレベル指標杆を相対的に下動させて、位置決め段部を支持杆の左右側縁の上面に直接またはスペーサ板を介して圧接させる固定螺子を備えていることを特徴とする請求項３に記載した玄関マット用の周枠におけるモルタル床のレベル出し装置。
【請求項５】
高さ設定手段により設定されるレベル指標杆の高さ位置が、既定厚み寸法が異なる複数種類の玄関マットの、その各既定厚み寸法に夫々一致するものであることを特徴とする請求項１乃至請求項４の何れかに記載した玄関マット用の周枠におけるモルタル床のレベル出し装置。
【請求項６】
請求項１乃至請求項５の何れかに記載したレベル出し装置を用いるものであって、
対向する二辺の枠杆間に同一設定高さで間隔を置いて差し渡された複数のレベル指標杆上に均し定規を交差状に差し渡して、該レベル指標杆上を摺動させることにより、周枠内に打設されたモルタルを均すようにしたことを特徴とする玄関マット用の周枠におけるモルタル床のレベル出し方法。
【請求項７】
内部に玄関マットを敷設する所要深さのモルタル床が形成される周枠に用いられるものであって、
前記周枠の対向する二辺の枠杆の上縁に外端が摺動可能に係止される一対の支持杆と、該支持杆の内端に両端を支持されて、二辺の枠杆間に差し渡されるレベル指標杆と、該レベル指標杆の下縁の高さ位置を選択的に設定する高さ設定手段とを備えたことを特徴とする玄関マット用の周枠におけるモルタル床のレベル出し装置。
【請求項８】
高さ設定手段が、左右側壁と底壁とにより囲繞される嵌挿空隙を備えた前記レベル指標杆の、その左右側壁の内壁面の異なる高さ位置に対向状に突設され、前記嵌挿空隙内に嵌挿された支持杆の左右側縁の上面に直接またはスペーサ板を介して乗載可能な複数対の位置決め段部と、支持杆に形成された上下方向の螺子孔に上方から螺合されて、下端が前記底壁の内壁面に当接され、かつその螺進作用を介してレベル指標杆を下動させて、前記複数対の位置決め段部の何れかを支持杆の左右側縁の上面に直接またはスペーサ板を介して選択的に圧接させる固定螺子とからなるものであることを特徴とする請求項７に記載した玄関マット用の周枠におけるモルタル床のレベル出し装置。
【発明の詳細な説明】
【技術分野】
【０００１】
本発明は、玄関マットの周枠内に所要深さのモルタル床を形成する際に、該周枠に装着して使用されるモルタル床のレベル出し装置、及び該モルタル床のレベル出し方法に関する。
【背景技術】
【０００２】
金属製の玄関マットｆを囲繞する周枠ａは、施工に際して、図１２に示すように、コンクリート基盤ｇに植設した差筋ｓに溶接されるアンカーｅにより所定高さに保持され、その周囲及び内部にモルタルｍが打設される。この時、周枠ａの内部には玄関マットｆの厚み寸法に一致する所要深さのモルタル床ｂが形成される。そして、該モルタル床ｂ上に玄関マットｆが直接敷設されることとなる。
【０００３】
かかる施工にあっては、モルタル床ｂ上に敷設される玄関マットｆの表面と周枠ａの表面を面一状とするために、周枠ａの上面から玄関マットｆの厚み寸法に相当する深さ位置にモルタルｍを均一状に打ち込む必要がある。そこで、従来は、周枠ａの内面の上下方向に複数設けられた位置決め目盛ｃの高さ位置に合わせてモルタルｍを打設して、所定深さのモルタル床ｂを形成するようにしていた（特許文献１参照）。ここで、前記複数の位置決め目盛ｃは、周枠ａの上面までの高さが、既定厚み寸法の異なる複数種類の玄関マットｆの、その各既定厚み寸法に夫々一致するように設けられており、敷設する玄関マットｆの既定厚み寸法に一致する位置決め目盛ｃを目印にして、該位置決め目盛ｃの高さ位置までモルタルｍを打設することにより、敷設する玄関マットｆの既定厚み寸法に相当する深さ位置にモルタル床ｂを形成し得るものとなっている。
【特許文献１】実用新案登録第２５４４０２１号公報
【発明の開示】
【発明が解決しようとする課題】
【０００４】
ところで、上記のような周枠ａの内面に設けられた位置決め目盛ｃを目印にしてモルタルｍを打設して所要深さのモルタル床ｂを形成する場合、周枠ａの近傍では位置決め目盛ｃにより容易にモルタル床ｂの仕上げレベルを知り得るが、周枠ａから離れた位置では目印となるものがないため仕上げレベルを知ることができなかった。ここで、熟練した職人にあっては、周枠ａの内面に設けられた位置決め目盛ｃに基づいて、周枠ａから離れた位置でもモルタル床ｂのレベルを均一に仕上げることが可能であるが、未熟な職人がこれを行うと、モルタル床ｂが凹凸状となり易いため、周枠ａから離れた位置にも仕上げレベルの基準となる何らかの目印を、各人が工夫して設けなければならなかった。
【０００５】
本発明は、かかる従来の実状に鑑みてなされたものであり、周枠から離れた位置でも仕上げレベルを容易かつ確実に知ることができるレベル出し装置と、職人の熟練度に関係なく、誰でも簡単にモルタル床のレベルを均一に仕上げることが可能なレベル出し方法を提供することを目的とするものである。
【課題を解決するための手段】
【０００６】
本発明は、内部に玄関マットを敷設する所要深さのモルタル床が形成される周枠に装着されるものであって、前記周枠の対向する二辺の枠杆の下部から対向状に内方突成された一定高さの支持杆と、該支持杆に両端を支持されて、二辺の枠杆間に差し渡されるレベル指標杆と、該レベル指標杆の上縁の高さ位置を選択的に設定する高さ設定手段とを備えたことを特徴とする玄関マット用の周枠におけるモルタル床のレベル出し装置である。
【０００７】
前記高さ設定手段としては、左右側壁と天壁とにより囲繞される嵌挿空隙を備えたレベル指標杆の、その左右側壁の内壁面の異なる高さ位置に対向状に突設され、前記嵌挿空隙内に嵌挿された支持杆の左右側縁の下面に直接またはスペーサ板を介して係合可能な複数対の位置決め段部と、支持杆に形成された上下方向の螺子孔に下方から螺合されて、上端で前記天壁の内壁面に当接してレベル指標杆を支承し、かつその螺進作用を介してレベル指標杆を上動させて、前記複数対の位置決め段部の何れかを支持杆の左右側縁の下面に直接またはスペーサ板を介して選択的に係合させる固定螺子とからなるものとした構成が提案される。
【０００８】
また、他の高さ設定手段としては、左右側壁と、天壁及び／又は底壁とにより囲繞される嵌挿空隙を備えたレベル指標杆の、その左右側壁の内壁面の異なる高さ位置に対向状に突設された複数対の位置決め段部からなり、該位置決め段部の何れかが、前記嵌挿空隙内に嵌挿された支持杆の左右側縁の上面に直接またはスペーサ板を介して選択的に乗載されるものとした構成が提案される。
【０００９】
さらに、この構成において、レベル指標杆の底壁に形成された上下方向の螺子孔に下方から螺合されて、上端が支持杆の下面に当接され、かつその螺進作用を介してレベル指標杆を相対的に下動させて、位置決め段部を支持杆の左右側縁の上面に直接またはスペーサ板を介して圧接させる固定螺子を備えたものとした構成が提案される。
【００１０】
また、上記各高さ設定手段により設定されるレベル指標杆の高さ位置が、既定厚み寸法が異なる複数種類の玄関マットの、その各既定厚み寸法に夫々一致するものである構成が提案される。
【００１１】
また、上記各構成からなるレベル出し装置を用いるレベル出し方法として、対向する二辺の枠杆間に同一設定高さで間隔を置いて差し渡された複数のレベル指標杆上に均し定規を交差状に差し渡して、該レベル指標杆上を摺動させることにより、周枠内に打設されたモルタルを均すようにしたことを特徴とする玄関マット用の周枠におけるモルタル床のレベル出し方法が提案される。
【００１２】
また、本発明は、内部に玄関マットを敷設する所要深さのモルタル床が形成される周枠に用いられるものであって、前記周枠の対向する二辺の枠杆の上縁に外端が摺動可能に係止される一対の支持杆と、該支持杆の内端に両端を支持されて、二辺の枠杆間に差し渡されるレベル指標杆と、該レベル指標杆の下縁の高さ位置を選択的に設定する高さ設定手段とを備えたことを特徴とする玄関マット用の周枠におけるモルタル床のレベル出し装置である。
【００１３】
前記高さ設定手段としては、左右側壁と底壁とにより囲繞される嵌挿空隙を備えた前記レベル指標杆の、その左右側壁の内壁面の異なる高さ位置に対向状に突設され、前記嵌挿空隙内に嵌挿された支持杆の左右側縁の上面に直接またはスペーサ板を介して乗載可能な複数対の位置決め段部と、支持杆に形成された上下方向の螺子孔に上方から螺合されて、下端が前記底壁の内壁面に当接され、かつその螺進作用を介してレベル指標杆を下動させて、前記複数対の位置決め段部の何れかを支持杆の左右側縁の上面に直接またはスペーサ板を介して選択的に圧接させる固定螺子とからなるものとした構成が提案される。
【発明の効果】
【００１４】
本発明は、上述したように、周枠の対向する二辺の枠杆の下部から対向状に内方突成された一定高さの支持杆と、該支持杆に両端を支持されて、二辺の枠杆間に差し渡されるレベル指標杆と、該レベル指標杆の上縁の高さ位置を選択的に設定する高さ設定手段とを備えたことを特徴とする玄関マット用の周枠におけるモルタル床のレベル出し装置であるから、周枠の対向する二辺の枠杆間に差し渡されるレベル指標杆の上縁の高さ位置を、高さ設定手段によって選択的に設定することにより、周枠から離れた位置でも二辺の枠杆間に亘るレベル指標杆の上縁によってモルタル床の仕上げレベルを容易かつ確実に知ることができる。従って、周枠内に打設されるモルタルの上面の高さ位置を、レベル指標杆の上縁に一致させて施工することにより、周枠の近傍だけでなく、周枠から離れた位置にあっても、モルタル床のレベルを均一に仕上げることができる。
【００１５】
そして、前記高さ設定手段を、左右側壁と天壁とにより囲繞される嵌挿空隙を備えたレベル指標杆の、その左右側壁の内壁面の異なる高さ位置に対向状に突設され、前記嵌挿空隙内に嵌挿された支持杆の左右側縁の下面に直接またはスペーサ板を介して係合可能な複数対の位置決め段部と、支持杆に形成された上下方向の螺子孔に下方から螺合されて、上端で前記天壁の内壁面に当接してレベル指標杆を支承し、かつその螺進作用を介してレベル指標杆を上動させて、前記複数対の位置決め段部の何れかを支持杆の左右側縁の下面に直接またはスペーサ板を介して選択的に係合させる固定螺子とからなるものとした構成にあっては、レベル指標杆に設けられた複数対の位置決め段部の何れかを、固定螺子の螺進操作によるレベル指標杆の上動作用を介して、支持杆の左右側縁の下面に直接またはスペーサ板を介して選択的に係合させることにより、レベル指標杆の上縁の高さ位置を選択的に設定することができる。また、かかる高さ設定手段にあっては、固定螺子によってレベル指標杆が周枠の対向する二辺の枠杆に連結されることにより、周枠の外周囲に打設されるモルタルの押圧力によって二辺の枠杆が内方に湾曲変形する不具合を防止することができる。
【００１６】
また、前記高さ設定手段を、左右側壁と、天壁及び／又は底壁とにより囲繞される嵌挿空隙を備えたレベル指標杆の、その左右側壁の内壁面の異なる高さ位置に対向状に突設された複数対の位置決め段部からなり、該位置決め段部の何れかが、前記嵌挿空隙内に嵌挿された支持杆の左右側縁の上面に直接またはスペーサ板を介して選択的に乗載されるものとした構成にあっては、レベル指標杆に設けられた複数対の位置決め段部の何れかを、支持杆の左右側縁の上面に直接またはスペーサ板を介して選択的に乗載させることにより、レベル指標杆の上縁の高さ位置を選択的に設定することができる。
【００１７】
さらに、この構成において、レベル指標杆の底壁に形成された上下方向の螺子孔に下方から螺合されて、上端が支持杆の下面に当接され、かつその螺進作用を介してレベル指標杆を相対的に下動させて、位置決め段部を支持杆の左右側縁の上面に直接またはスペーサ板を介して圧接させる固定螺子を備えたものとした構成にあっては、レベル指標杆をその設定高さ位置で固定することができる。また、固定螺子によってレベル指標杆が周枠の対向する二辺の枠杆に連結されることにより、周枠の外周囲に打設されるモルタルの押圧力によって二辺の枠杆が内方に湾曲変形する不具合を防止することができる。
【００１８】
また、上記各高さ設定手段により設定されるレベル指標杆の高さ位置が、既定厚み寸法が異なる複数種類の玄関マットの、その各既定厚み寸法に夫々一致するものとした構成にあっては、同一のレベル出し装置により、複数種類の既定厚み寸法の玄関マットに対応することができる。
【００１９】
また、上記各構成からなるレベル出し装置を用いるレベル出し方法として、対向する二辺の枠杆間に同一設定高さで間隔を置いて差し渡された複数のレベル指標杆上に均し定規を交差状に差し渡して、該レベル指標杆上を摺動させることにより、周枠内に打設されたモルタルを均すようにしたことを特徴とする玄関マット用の周枠におけるモルタル床のレベル出し方法にあっては、複数のレベル指標杆上に交差状に差し渡した均し定規を、該レベル指標杆上で摺動させて、周枠内に打設されたモルタルを均すことにより、職人の熟練度に関係なく、誰でも簡単にモルタル床の全面のレベルを均一に仕上げることができる。
【００２０】
また、本発明は、上述したように、周枠の対向する二辺の枠杆の上縁に外端が摺動可能に係止される一対の支持杆と、該支持杆の内端に両端を支持されて、二辺の枠杆間に差し渡されるレベル指標杆と、該レベル指標杆の下縁の高さ位置を選択的に設定する高さ設定手段とを備えたことを特徴とする玄関マット用の周枠におけるモルタル床のレベル出し装置であるから、周枠の対向する二辺の枠杆間に差し渡されるレベル指標杆の下縁の高さ位置を、高さ設定手段によって選択的に設定することにより、周枠から離れた位置でも二辺の枠杆間に亘るレベル指標杆の下縁によってモルタル床の仕上げレベルを容易かつ確実に知ることができる。従って、周枠内に打設されるモルタルの上面の高さ位置を、レベル指標杆の下縁に一致させて施工することにより、周枠の近傍だけでなく、周枠から離れた位置にあっても、モルタル床のレベルを均一に仕上げることができる。また、かかるレベル出し装置にあっては、レベル指標杆を所定高さ位置に支持する両端の各支持杆が、対向する二辺の枠杆の上縁に摺動可能に係止されていることにより、該支持杆を介してレベル指標杆を二辺の枠杆の上縁に沿って摺動させて、周枠内に打設されたモルタルを均すことにより、職人の熟練度に関係なく、誰でも簡単にモルタル床の全面のレベルを均一に仕上げることができる。
【００２１】
そして、前記高さ設定手段を、左右側壁と底壁とにより囲繞される嵌挿空隙を備えた前記レベル指標杆の、その左右側壁の内壁面の異なる高さ位置に対向状に突設され、前記嵌挿空隙内に嵌挿された支持杆の左右側縁の上面に直接またはスペーサ板を介して乗載可能な複数対の位置決め段部と、支持杆に形成された上下方向の螺子孔に上方から螺合されて、下端が前記底壁の内壁面に当接され、かつその螺進作用を介してレベル指標杆を下動させて、前記複数対の位置決め段部の何れかを支持杆の左右側縁の上面に直接またはスペーサ板を介して選択的に圧接させる固定螺子とからなるものとした構成にあっては、レベル指標杆に設けられた複数対の位置決め段部の何れかを、固定螺子の螺進操作によるレベル指標杆の下動作用を介して、支持杆の左右側縁の上面に直接またはスペーサ板を介して選択的に圧接させることにより、レベル指標杆の下縁の高さ位置を選択的に設定することができる。
【発明を実施するための最良の形態】
【００２２】
本発明の第一実施例を、図１〜図５に基づいて説明する。
金属製の玄関マットｆ（図１２参照）を囲繞する周枠１は、図２等に示すように、外方へ開口する嵌合溝３を備えた断面チャンネル形の四本の枠杆２ａ，２ａ，２ｂ，２ｂが、図１に示すように、矩形状に組み付けられている。該周枠１には、各枠杆２ａ，２ａ，２ｂ，２ｂの嵌合溝３に先端部を嵌合して螺子ｎ（図１２参照）で固定された複数のアンカーｅが取り付けられており、施工時に、各アンカーｅの基部をコンクリート基盤ｇに植設した差筋ｓに夫々溶接することにより、周枠１を所定高さに保持し得るようになっている。
【００２３】
前記周枠１の長手方向に沿って対向する二辺の枠杆２ａ，２ａには、本発明にかかる二個のレベル出し装置４，４が装着されている。各レベル出し装置４は、前記二辺の枠杆２ａ，２ａの下部から対向状に内方突成された一定高さの支持杆５，５と、該支持杆５，５に両端を支持されて、二辺の枠杆２ａ，２ａ間に差し渡されるレベル指標杆６と、該レベル指標杆６の上縁の高さ位置を選択的に設定する高さ設定手段とによって構成されている。
【００２４】
前記支持杆５，５は、図２，図３に示すように、外端部に垂直に立ち上がる取付片部５ａが連成されており、該取付片部５ａには螺子８を挿通し得る透孔９が穿設されている。そして、各支持杆５を枠杆２ａの下面に当接させ、かつ、取付片部５ａを枠杆２ａの外側面に宛がった状態で、透孔９に挿通した螺子８を、枠杆２ａの嵌合溝３内に予め嵌装した固定片１０の螺子孔１１に螺合させることにより、その緊締作用を介して各支持杆５を枠杆２ａの下面に対応する一定高さ位置で固定し得るようになっている。
【００２５】
前記支持杆５，５に両端を支持されて、二辺の枠杆２ａ，２ａ間に差し渡されるレベル指標杆６は、その上縁の高さ位置が高さ設定手段により選択的に設定される。この第一実施例では、図２，図４に示すように、レベル指標杆６が左右側壁１２，１２と天壁１３とにより囲繞される嵌挿空隙１４を備え、その左右側壁１２，１２の内壁面の異なる高さ位置に左右で一対をなす位置決め段部１５ａ，１５ａ、１５ｂ，１５ｂが対向状に突設されている。尚、このレベル指標杆６には、アルミニウムの押出成形型材が好適に用いられ得る。また、前記支持杆５，５には、図３に示すように、上下方向の螺子孔１６，１６が夫々穿設されており、該螺子孔１６，１６に固定螺子１７，１７が下方から螺合される。該固定螺子１７，１７は、その上端が前記天壁１３の内壁面に当接してレベル指標杆６を支承し、かつその螺進作用を介してレベル指標杆６を上動させて、前記複数対の位置決め段部１５ａ，１５ａ、１５ｂ，１５ｂの何れかを各支持杆５の左右側縁の下面に直接またはスペーサ板１８を介して選択的に係合させ得るようになっている。これにより、第一実施例における高さ設定手段が構成されている。
【００２６】
ここで、図４（イ）は、下側の位置決め段部１５ａ，１５ａを、支持杆５の左右側縁の下面に直接係合させた状態を示しており、この時のレベル指標杆６の上縁の高さ位置が最も高く、枠杆２ａの上面までの距離ｄ1 が例えば13mmに設定されるようになっている。図４（ロ）は、下側の位置決め段部１５ａ，１５ａを、支持杆５の左右側縁の下面にスペーサ板１８を介して係合させた状態を示しており、該スペーサ板１８の厚み分だけレベル指標杆６の上縁の高さ位置が下がり、枠杆２ａの上面までの距離ｄ2 が例えば15mmに設定されるようになっている。また、図４（ハ）は、上側の位置決め段部１５ｂ，１５ｂを、支持杆５の左右側縁の下面に直接係合させた状態を示しており、この時のレベル指標杆６の上縁の高さ位置が最も低く、枠杆２ａの上面までの距離ｄ3 が例えば20mmに設定されるようになっている。
【００２７】
一方、玄関マットｆ（図１２参照）は、断面略Ｔ字形の金属製メインバーｋを所定間隔で並列させ、横杆ｙで連結したグレーチングであり、図５に示すように、高さ寸法が異なる金属製メインバーｋを用いて三種類の既定厚み寸法に形成されている。そして、この三種類の玄関マットｆの、その各既定厚み寸法に、前記高さ設定手段により設定されるレベル指標杆６の上縁の高さ位置から枠杆２ａの上面までの距離ｄ1 〜ｄ3 が夫々一致している。
【００２８】
かかる構成にあって、レベル出し装置４を周枠１に装着するには、周枠１をコンクリート基盤ｇ（図１２参照）に植設した差筋ｓに溶接されるアンカーｅにより所定高さに保持した状態において、先ず、二辺の枠杆２ａ，２ａの何れか一方の枠杆２ａに対して、図３に示すように、支持杆５を螺子８で固定し、該支持杆５をレベル指標杆６の端部から嵌挿空隙１４内に嵌装させる。この時、敷設すべき玄関マットｆの、その既定厚み寸法に対応する位置決め段部１５ａ，１５ａ、１５ｂ，１５ｂの何れかを選定し、その選定した位置決め段部１５ａ，１５ａ（または位置決め段部１５ｂ，１５ｂ）に係合可能な空隙位置に支持杆５を嵌装する。そして、該支持杆５の螺子孔１６，１６に螺合されている固定螺子１７，１７を上方に螺進する方向に回転させると、その螺進作用を介してレベル指標杆６が上動し、選定した前記位置決め段部１５ａ，１５ａ（または位置決め段部１５ｂ，１５ｂ）が支持杆５の左右側縁の下面に係合されて、レベル指標杆６の一端が固定される。ここで、図４（ロ）に示すように、枠杆２ａの上面までの距離ｄ2 をレベル指標杆６の上縁の高さ位置に設定する場合には、予めスペーサ板１８を位置決め段部１５ａ，１５ａ上に介装しておけばよい。次に、該レベル指標杆６の他端から別の支持杆５を嵌挿空隙１４内に嵌装させる。この時、上記と同様に、敷設すべき玄関マットｆの、その既定厚み寸法に対応する位置決め段部１５ａ，１５ａ、１５ｂ，１５ｂの何れかを選定し、その選定した位置決め段部１５ａ，１５ａ（または位置決め段部１５ｂ，１５ｂ）に係合可能な位置に支持杆５を嵌装する。この状態で対向する他方の枠杆２ａに対して支持杆５を螺子８（図３参照）で固定する。そして、上記と同様に、固定螺子１７，１７を螺回操作し、その螺進作用を介してレベル指標杆６を上動させて、選定した前記位置決め段部１５ａ，１５ａ（または位置決め段部１５ｂ，１５ｂ）を支持杆５の左右側縁の下面に係合させることにより、レベル指標杆６の他端を固定する。これにより、レベル出し装置４が周枠１に装着され、上縁の高さ位置が敷設すべき玄関マットｆの既定厚み寸法に一致するように設定されたレベル指標杆６が、対向する二辺の枠杆２ａ，２ａ間に差し渡されることとなる。
【００２９】
そして、このように、対向する二辺の枠杆２ａ，２ａ間に差し渡されるレベル指標杆６の上縁の高さ位置を、高さ設定手段によって選択的に設定することにより、周枠１から離れた位置でも二辺の枠杆２ａ，２ａ間に亘るレベル指標杆６の上縁によってモルタル床ｂ（図１２参照）の仕上げレベルを容易かつ確実に知ることができる。従って、周枠１内に打設されるモルタルの上面の高さ位置を、レベル指標杆６の上縁に一致させて施工することにより、周枠１の近傍だけでなく、周枠１から離れた位置にあっても、モルタル床ｂのレベルを均一に仕上げることができる。
【００３０】
また、図１に示すように、二辺の枠杆２ａ，２ａ間に、少なくとも二本のレベル指標杆６，６を同一設定高さで間隔を置いて差し渡し、該レベル指標杆６，６上に交差状に差し渡される均し定規１９を、レベル指標杆６，６上で摺動させて、周枠１内に打設されたモルタルの上面を均すことにより、職人の熟練度に関係なく、誰でも簡単にモルタル床ｂの全面のレベルを均一に仕上げることができる。
【００３１】
また、この第一実施例における高さ設定手段の構成にあっては、レベル指標杆６に設けられた複数対の位置決め段部１５ａ，１５ａ、１５ｂ，１５ｂの何れかを、固定螺子１７の螺進操作によるレベル指標杆６の上動作用を介して、支持杆５の左右側縁の下面に直接またはスペーサ板１８を介して選択的に係合させることにより、レベル指標杆６の上縁の高さ位置を選択的に設定することができる。また、かかる高さ設定手段にあっては、固定螺子１７によってレベル指標杆６が周枠１の対向する二辺の枠杆２ａ，２ａに連結されることにより、周枠１の外周囲に打設されるモルタルの押圧力によって二辺の枠杆２ａ，２ａが内方に湾曲変形する不具合を防止することができる。
【００３２】
図６，図７は、第二実施例を示し、この第二実施例は、レベル指標杆６の上縁の高さ位置を選択的に設定する高さ設定手段の構成を若干変更したものであって、レベル指標杆６は左右側壁１２，１２と天壁１３及び底壁２０とにより囲繞される嵌挿空隙１４を備え、その左右側壁１２，１２の内壁面の異なる高さ位置に左右で一対をなす位置決め段部１５ａ，１５ａ、１５ｂ，１５ｂが対向状に突設されており、該位置決め段部１５ａ，１５ａ、１５ｂ，１５ｂの何れかが、前記嵌挿空隙１４に嵌装された支持杆５の左右側縁の上面に直接またはスペーサ板１８を介して選択的に乗載される。また、前記底壁２０には、上下方向の螺子孔２１，２１が夫々穿設されており、該螺子孔２１，２１に固定螺子１７，１７が下方から螺合される。該固定螺子１７，１７は、その上端が支持杆５の下面に当接し、かつその螺進作用を介してレベル指標杆６を相対的に下動させて、支持杆５に乗載された前記位置決め段部１５ａ，１５ａ、１５ｂ，１５ｂの何れかを該支持杆５に直接またはスペーサ板１８を介して圧接させ得るようになっている。これにより、第二実施例における高さ設定手段が構成されている。
【００３３】
ここで、図７（イ）は、下側の位置決め段部１５ａ，１５ａを、支持杆５の左右側縁の上面にスペーサ板１８を介して圧接させた状態を示しており、この時のレベル指標杆６の上縁の高さ位置が最も高く、枠杆２ａの上面までの距離ｄ1 が例えば13mmに設定されるようになっている。図７（ロ）は、下側の位置決め段部１５ａ，１５ａを、支持杆５の左右側縁の上面に直接圧接させた状態を示しており、図７（イ）の状態に比してスペーサ板１８の厚み分だけレベル指標杆６の上縁の高さ位置が下がり、枠杆２ａの上面までの距離ｄ2 が例えば15mmに設定されるようになっている。また、図７（ハ）は、上側の位置決め段部１５ｂ，１５ｂを、支持杆５の左右側縁の上面に直接圧接させた状態を示しており、この時のレベル指標杆６の上縁の高さ位置が最も低く、枠杆２ａの上面までの距離ｄ3 が例えば20mmに設定されるようになっている。
【００３４】
かかる構成にあっては、レベル指標杆６に設けられた複数対の位置決め段部１５ａ，１５ａ、１５ｂ，１５ｂの何れかを、支持杆５の左右側縁の上面に直接またはスペーサ板１８を介して選択的に乗載させることにより、レベル指標杆６の上縁の高さ位置を選択的に設定することができる。また、支持杆５の下面に当接する固定螺子１７，１７の螺進作用を介してレベル指標杆６を相対的に下動させて、支持杆５に乗載された前記位置決め段部１５ａ，１５ａ、１５ｂ，１５ｂの何れかを該支持杆５に圧接させることにより、レベル指標杆６をその設定高さ位置で固定することができる。また、この第二実施例の高さ設定手段にあっては、第一実施例と同様に、固定螺子１７によってレベル指標杆６が周枠１の対向する二辺の枠杆２ａ，２ａに連結されることにより、周枠１の外周囲に打設されるモルタルの押圧力によって二辺の枠杆２ａ，２ａが内方に湾曲変形する不具合を防止することができる。
【００３５】
図８は、第二実施例の変形実施例を示し、この変形実施例は第二実施例の高さ設定手段において、レベル指標杆６の底壁２０と、該底壁２０に螺合される固定螺子１７，１７を除去したものである。かかる構成にあっては、レベル指標杆６に設けられた複数対の位置決め段部１５ａ，１５ａ、１５ｂ，１５ｂの何れかを、図８（イ）〜（ハ）に示すように、支持杆５の左右側縁の上面に直接またはスペーサ板１８を介して選択的に乗載させることにより、レベル指標杆６の上縁の高さ位置を選択的に設定することができる。尚、この変形実施例の高さ設定手段にあっては、固定螺子１７によるレベル指標杆６の端部と支持杆５との固定作用は得られないが、レベル指標杆６は、位置決め段部１５ａ，１５ａ、１５ｂ，１５ｂの何れかに乗載されており、上方から押圧されてもその高さ位置を維持し得るので使用上の問題はない。また、螺子孔２１，２１（図６参照）の形成加工、及び固定螺子１７，１７が不要であるため、製造コストを低減し得る利点がある。
【００３６】
図９は、第二実施例の他の変形実施例を示し、この変形実施例は第二実施例の高さ設定手段において、レベル指標杆６の天壁１３と、底壁２０の螺子孔２１，２１と、該螺子孔２１，２１に螺合される固定螺子１７，１７を除去したものである。かかる構成にあっては、レベル指標杆６に設けられた複数対の位置決め段部１５ａ，１５ａ、１５ｂ，１５ｂの何れかを、図９（イ）〜（ハ）に示すように、支持杆５の左右側縁の上面に直接またはスペーサ板１８を介して選択的に乗載させることにより、レベル指標杆６の上縁の高さ位置を選択的に設定することができる。尚、この変形実施例の高さ設定手段にあっても、螺子孔２１，２１（図６参照）の形成加工、及び固定螺子１７，１７が不要であるため、製造コストを低減し得る利点がある。
【００３７】
図１０，図１１は、第三実施例を示し、この第三実施例におけるレベル出し装置４は、前記二辺の枠杆２ａ，２ａの上縁に外端が摺動可能に係止される一対の支持杆５，５（図１０には一方の支持杆５のみを図示したが、他方の支持杆５は対称に表れる。）と、該支持杆５，５の内端に両端を支持されて、二辺の枠杆２ａ，２ａ間に差し渡されるレベル指標杆６と、該レベル指標杆６の下縁の高さ位置を選択的に設定する高さ設定手段とによって構成されている。
【００３８】
前記支持杆５，５は、図１０に示すように、夫々断面クランク形に形成されており、外端の高位側水平部が枠杆２ａの上縁に摺動可能に係止される係止片部５ｂとなっている。また、該支持杆５，５の内端の低位側水平部には、上下方向の螺子孔１６，１６が夫々穿設されており、該螺子孔１６，１６に固定螺子１７，１７が上方から螺合される。
【００３９】
支持杆５，５の内端に両端を支持されて、二辺の枠杆２ａ，２ａ間に差し渡されるレベル指標杆６は、左右側壁１２，１２と底壁２０とにより囲繞される嵌挿空隙１４を備え、その左右側壁１２，１２の内壁面の異なる高さ位置に左右で一対をなす位置決め段部１５ａ，１５ａ、１５ｂ，１５ｂが対向状に突設されている。尚、この第三実施例におけるレベル指標杆６は、第一実施例のレベル指標杆６の上下を反転させたものが用いられている。そして、レベル指標杆６の端部から嵌挿空隙１４内に前記支持杆５を嵌装させた状態で、該支持杆５の螺子孔１６，１６に上方から螺合した固定螺子１７，１７の下端を底壁２０の内壁面に当接させ、かつその螺進作用を介してレベル指標杆６を下動させて、前記複数対の位置決め段部１５ａ，１５ａ、１５ｂ，１５ｂの何れかを各支持杆５の左右側縁の上面に直接またはスペーサ板１８を介して選択的に係合させ得るようになっている。これにより、第三実施例における高さ設定手段が構成されている。
【００４０】
ここで、図１１（イ）は、下側の位置決め段部１５ｂ，１５ｂを、支持杆５の左右側縁の上面にスペーサ板１８を介して圧接させた状態を示しており、この時のレベル指標杆６の下縁の高さ位置が最も高く、枠杆２ａの上面までの距離ｄ1 が例えば13mmに設定されるようになっている。図１１（ロ）は、下側の位置決め段部１５ｂ，１５ｂを、支持杆５の左右側縁の上面に直接圧接させた状態を示しており、図１１（イ）の状態に比してスペーサ板１８の厚み分だけレベル指標杆６の下縁の高さ位置が下がり、枠杆２ａの上面までの距離ｄ2 が例えば15mmに設定されるようになっている。また、図４（ハ）は、上側の位置決め段部１５ａ，１５ａを、支持杆５の左右側縁の下面にスペーサ板１８を介して圧接させた状態を示しており、この時のレベル指標杆６の上縁の高さ位置が最も低く、枠杆２ａの上面までの距離ｄ3 が例えば20mmに設定されるようになっている。その他の構成は、第一実施例と同じであり、同一部分に同一符号を付して重複する説明を省略する。
【００４１】
かかる構成にあって、対向する二辺の枠杆２ａ，２ａ間に差し渡されるレベル指標杆６の下縁の高さ位置を、高さ設定手段によって選択的に設定することにより、周枠１から離れた位置でも二辺の枠杆２ａ，２ａ間に亘るレベル指標杆６の下縁によってモルタル床ｂ（図１２参照）の仕上げレベルを容易かつ確実に知ることができる。従って、周枠１内に打設されるモルタルの上面の高さ位置を、レベル指標杆６の下縁に一致させて施工することにより、周枠１の近傍だけでなく、周枠１から離れた位置にあっても、モルタル床ｂのレベルを均一に仕上げることができる。
【００４２】
また、この第三実施例にかかるレベル出し装置４にあっては、レベル指標杆６を所定高さ位置に支持する両端の各支持杆５，５が、対向する二辺の枠杆２ａ，２ａの上縁に摺動可能に係止されていることにより、該支持杆５，５を介してレベル指標杆６を二辺の枠杆２ａ，２ａの上縁に沿って摺動させて、周枠１内に打設されたモルタルを均すことにより、職人の熟練度に関係なく、誰でも簡単にモルタル床ｂ（図１２参照）の全面のレベルを均一に仕上げることができる。
【図面の簡単な説明】
【００４３】
【図１】本発明にかかるレベル出し装置４を装着した周枠１の平面図である。
【図２】第一実施例の高さ設定手段の構成を示す部分斜視部である。
【図３】同上の高さ設定手段の縦断側面図である。
【図４】同上の高さ設定手段の縦断正面図である。
【図５】高さ寸法が異なる金属製メインバーｋと、レベル指標杆６の上縁の高さ位置から枠杆２ａの上面までの距離ｄ1 〜ｄ3 との関係を示す説明図である。
【図６】第二実施例の高さ設定手段の縦断側面図である。
【図７】同上の高さ設定手段の縦断正面図である。
【図８】第二実施例の変形実施例における高さ設定手段の縦断正面図である。
【図９】第二実施例の他の変形実施例における高さ設定手段の縦断正面図である。
【図１０】第三実施例の高さ設定手段の縦断側面図である。
【図１１】同上の高さ設定手段の縦断正面図である。
【図１２】従来構成の施工状態を示す縦断側面図である。
【符号の説明】
【００４４】
１  周枠
２ａ  枠杆
４  レベル出し装置
５  支持杆
６  レベル指標杆
７  高さ設定手段
１２  左右側壁
１３  天壁
１４  嵌挿空隙
１５ａ，１５ｂ  位置決め段部
１６  螺子孔
１７  固定螺子
１８  スペーサ板
１９  均し定規
２０  底壁
２１  螺子孔
ｆ  玄関マット
ｂ  モルタル床
【図１】
2005273364.tif 000003
【図２】
2005273364.tif 000004
【図３】
2005273364.tif 000005
【図４】
2005273364.tif 000006
【図５】
2005273364.tif 000007
【図６】
2005273364.tif 000008
【図７】
2005273364.tif 000009
【図８】
2005273364.tif 000010
【図９】
2005273364.tif 000011
【図１０】
2005273364.tif 000012
【図１１】
2005273364.tif 000013
【図１２】
2005273364.tif 000014